(57)【特許請求の範囲】
【請求項１】
車両表示画面を制御するための多位置スイッチアセンブリであって、
ハウジングと、
前記ハウジングに対する回転運動及び枢動のために構成された第１のホルダーと、
前記第１のホルダー内に少なくとも部分的に受け入れられる第２のホルダーであって、前記第２のホルダーは、前記ハウジングに対して回転するように固定され、かつ前記第１のホルダーとともに枢動可能であり、前記第２のホルダーは、前記第１のホルダーを少なくとも部分的に支持するが、前記第１のホルダーに直接には接続されない、第２のホルダーと、
前記第２のホルダーを通って延在し、かつ前記第２のホルダーにより支持された押しボタンであって、前記ハウジングに対する回転に対抗して固定され、かつ前記第２のホルダーに対して直線運動可能である、押しボタンと、
前記第１のホルダーの回転角度を検出するように適合された検出器と、
前記第２のホルダーの枢動により作動する第１の入力デバイスであって、前記第１のホルダーは、前記第１のホルダーの回転運動及び枢動が前記第１の入力デバイスに接触しないように前記第１の入力デバイスから離間される、第１の入力デバイスと、
前記押しボタンの直線運動により作動する第２の入力デバイスと、を具備している、多位置スイッチアセンブリ。
【請求項２】
前記第１のホルダー及び第２のホルダーは、前記ハウジング内に位置決めされ、前記ハウジングは前記第１のホルダーと係合するように構成され、前記第２のホルダーが前記第１の入力デバイスを作動させるために枢動されたとき、前記第１のホルダーの回転を防止する、請求項１に記載の多位置スイッチアセンブリ。
【請求項３】
前記第１のホルダーは離間した突出部を含み、前記ハウジングは対応する離間した突出部を含み、前記第１のホルダーの前記突出部は、前記ハウジングの前記突出部と係合する、請求項２に記載の多位置スイッチアセンブリ。
【請求項４】
前記第１のホルダーは、全体的に円筒形の部品と、前記全体的に円筒形の部品の端部部分から半径方向に延在するフランジと、を含み、前記突出部は、前記半径方向のフランジ上に位置決めされる、請求項３に記載の多位置スイッチアセンブリ。
【請求項５】
前記第２のホルダーは、前記半径方向のフランジに向かって付勢される少なくとも１つの第１のピンを含み、前記半径方向のフランジは、前記突出部から内方に位置する複数の離間したインジケータを更に含み、前記少なくとも１つの第１のピンは、前記第１のホルダーが回転するとき、前記インジケータを係合し、その結果、前記第１のホルダーの回転をオペレータにフィードバックする、請求項４に記載の多位置スイッチアセンブリ。
【請求項６】
接合部材を更に含み、前記接合部材は、前記ハウジング及び前記第２のホルダーの両方に組み付けられ、前記接合部材は、前記ハウジング上に設置された外方に突出する部材を受け入れるように寸法決定された一対の対向する開口部と、前記第２のホルダーと係合するための一対の対向した外方に突出する部材とを備え、前記接合部材は、回転に対して固定され、かつ前記第２のホルダーと共に枢動可能である、請求項２に記載の多位置スイッチアセンブリ。
【請求項７】
前記第１のホルダーに接続されたホイールを更に含み、前記ホイールは、前記第１のホルダーと共に回転可能であり、かつ、前記第１のホルダーの枢動に対して固定される、請求項１に記載の多位置スイッチアセンブリ。
【請求項８】
前記ホイールは、前記ホイールを前記第１のホルダーに接続するための一対の係合部材を含み、前記係合部材は、前記第１のホルダーが枢動されるときに前記ホイールを固定することを可能にするように適合される、請求項７に記載の多位置スイッチアセンブリ。
【請求項９】
前記第２のホルダーは、全体的に円筒形の部品と、前記第１の入力デバイスを作動させるための前記全体的に円筒形の部品の端部部分から半径方向に延在するフランジと、を含む、請求項１に記載の多位置スイッチアセンブリ。
【請求項１０】
前記押しボタンは、エンターノブと、ノブホルダーと、摺動部と、を含み、前記エンターノブは前記ノブホルダーに接続され、前記ノブホルダーは前記第２のホルダー内に摺動可能に受け入れられ、前記ノブホルダーは回転に対して固定され、かつ前記第２のホルダーと共に枢動可能であり、前記摺動部は、前記ノブホルダーの下に位置決めされ、かつ前記第２の入力デバイスを起動させるように適合される、請求項１に記載の多位置スイッチアセンブリ。
【請求項１１】
リング部材と、オペレータによる前記スイッチアセンブリの取り扱いし易さのための環状握持部材と、を更に含み、前記第２のホルダーは、前記リング部材内で少なくとも部分的に受け入れられかつ該リング部材に係合され、前記リング部材は回転に対して固定されかつ前記第２のホルダーと共に枢動可能であり、前記第１のホルダーは前記環状握持部材に係合される、請求項１に記載の多位置スイッチアセンブリ。
【請求項１２】
少なくとも１つの第２のピンと、少なくとも１つの第３のピンとを更に含み、前記第２のピンは、前記押しボタンを非作動位置に付勢するために前記押しボタンに作動上関連づけられ、前記第３のピンは、前記第２のホルダーと前記第１の入力デバイスとの間に作動上位置決めされ、前記第２のピンの枢動は、第３のピンと係合し、これによって前記第１の入力デバイスを起動させる、請求項１に記載の多位置スイッチアセンブリ。
【請求項１３】
車両表示画面を制御する多位置スイッチアセンブリであって、
ハウジングと、
前記ハウジング内に位置決めされ、かつ前記ハウジングに対して回転及び枢動するように構成された第１のノブホルダーであって、枢動位置において、前記第１のノブホルダーは前記ハウジングと係合して、前記枢動位置にある間に前記第１のノブホルダーの回転を防止するように構成される、第１のノブホルダーと、
前記ハウジング内に位置決めされ、かつ前記第１のノブホルダー内に少なくとも部分的に受け入れられる第２のホルダーであって、前記第２のホルダーは、前記第１のノブホルダーの回転に対して固定され、かつ前記第１のノブホルダーと共に枢動可能であり、前記第２のホルダーは、前記第１のノブホルダーを前記ハウジング内で少なくとも部分的に支持する、第２のホルダーと、
前記第１のノブホルダー及び前記第２のホルダーを通って延在する押しボタンであって、前記押しボタンは、前記第２のホルダーにより支持され、前記押しボタンは、前記ハウジングに対する回転に対抗して固定され、前記第２のホルダーに対して直線運動可能である、押しボタンと、
前記第１のノブホルダーの回転を検出するように適合された検出器と、
前記ハウジング内に位置決めされ、それぞれが前記第２のホルダーの枢動により作動する、複数の第１の瞬間接触スイッチと、
前記ハウジング内に位置決めされ、かつ前記押しボタンの直線運動により作動する第２の瞬間接触スイッチと、を備える、多位置スイッチアセンブリ。
【請求項１４】
前記第１のノブホルダーは前記第２のホルダーにより前記第１の瞬間接触スイッチから離間されており、前記第１の瞬間接触スイッチが前記第１のノブホルダーの回転運動及び枢動により接触されないようにされている、請求項１３に記載の多位置スイッチアセンブリ。
【請求項１５】
前記第１のノブホルダーは、離間した突出部を備えたフランジを含み、前記ハウジングは、対応する離間した突出部を備えた壁部を含み、前記第１のノブホルダーの前記突出部は、前記第２のホルダーが枢動されたときに前記ハウジングの前記突出部と係合して、前記第１の瞬間接触スイッチの１つを作動させる、請求項１３に記載の多位置スイッチアセンブリ。
【請求項１６】
前記第１のノブホルダーに接続されたホイールを更に含み、前記ホイールは、前記第１のノブホルダーと共に回転可能であり、かつ前記第１のノブホルダーの枢動に対して固定される、請求項１３に記載の多位置スイッチアセンブリ。
【請求項１７】
前記ハウジング及び前記第２のホルダーの両方に作動可能に接続された接合部材を更に含み、前記接合部材の接続は、前記第１のノブホルダー及び第２のホルダーの前記枢動を可能にする少なくとも２つの枢動軸線を画定する、請求項１３に記載の多位置スイッチアセンブリ。
【請求項１８】
車両表示画面を制御するための多位置スイッチアセンブリであって、
複数の第１の係合部材を備えるハウジングと、
前記ハウジング内に位置決めされ、かつ前記ハウジングに対して回転及び枢動するように構成された、複数の第２の係合部材を備える第１のノブホルダーであって、枢動位置において、前記第１の係合部材は前記第２の係合部材と係合し、前記枢動位置にある間に前記第１のノブホルダーの回転を防止する、第１のノブホルダーと、
前記ハウジング内に位置決めされて、前記第１のノブホルダー内に少なくとも部分的に受け入れられる第２のホルダーであって、前記第２のホルダーは、前記第１のノブホルダーの回転に対して固定され、かつ前記第１のノブホルダーと共に枢動可能であり、前記第２のホルダーは、前記ハウジング内の前記第１のノブホルダーを少なくとも部分的に支持するが、前記第１のノブホルダーに直接には接続されない、第２のホルダーと、
前記ハウジング及び前記第２のホルダーの両方に作動可能に接続された接合部材であって、前記接合部材の接続は少なくとも２つの枢動軸線を画定し、前記第１のノブホルダー及び第２のホルダーの前記枢動を可能にする、接合部材と、
前記第１のノブホルダー及び間前記第２のホルダーを通って延在する押しボタンであって、前記押しボタンは前記ハウジングに対する回転に対抗して固定され、かつ前記第２のホルダーに対して直線運動可能である、押しボタンと、
前記第１のノブホルダーの回転を検出するように適合された検出器と、
前記ハウジング内に位置決めされ、それぞれが前記第２のホルダーの枢動により作動する、複数の第１の瞬間接触スイッチであって、前記第１のノブホルダーは、前記第１のノブホルダーが前記ハウジング内で回転するときに前記第１の瞬間接触スイッチから離間される、複数の第１の瞬間接触スイッチと、
前記ハウジング内に位置決めされ、かつ前記押しボタンの直線運動により作動する第２の瞬間接触スイッチと、を備える、多位置スイッチアセンブリ。
【請求項１９】
前記第１のノブホルダーに接続されたホイールを更に含み、前記ホイールは、前記第１のノブホルダーと共に回転可能であり、かつ前記第１のノブホルダーの枢動に対して固定される、請求項１８に記載の多位置スイッチアセンブリ。
【請求項２０】
車両表示画面を制御するための多機能スイッチアセンブリの組立方法であって、
複数の第１の係合部材を含むハウジングを提供する工程と、
第１のホルダーが前記ハウジングに対して回転及び枢動するように第１のノブホルダーを前記ハウジング内に位置決めする工程であって、前記第１のノブホルダーは、複数の第２の係合部材を備える、工程と、
前記第１及び第２の係合部材を整列させて、前記第１のノブホルダーの枢動位置において、前記第１及び第２の係合部材が、前記枢動位置にある間に互いと係合し、前記第１のノブホルダーの回転を防止させる工程と、
第２のホルダーを前記ハウジング内に、及び、少なくとも部分的に前記第１のノブホルダー内に位置決めする工程であって、前記第２のホルダーが前記第１のノブホルダーと共に枢動可能であり、かつ前記第１のノブホルダーの回転に対して固定される工程と、
前記第１のノブホルダーを前記第２のホルダーと共に前記ハウジング内で支持する工程と、
接合部材を前記ハウジング及び前記第２のホルダーの両方に接続して、少なくとも２つの枢動式の軸線を画定し、前記第１のノブホルダー及び第２のホルダーの枢動を可能にする工程と、
押しボタンを前記第１のノブホルダー及び前記第２のホルダーを通じて位置決めし、前記押しボタンが前記ハウジングに対する回転に対抗して固定され、かつ前記第２のホルダーに対して直線運動可能にする工程と、
前記第１のノブホルダーの回転を検出するために検出器を前記ハウジング内に設置する工程と、
それぞれの第１の瞬間接触スイッチが前記第２のホルダーの枢動により作動するように、複数の第１の瞬間接触スイッチを前記ハウジング内に設置する工程と、
第２の瞬間接触スイッチが前記押しボタンの直線運動により作動するように、第２の瞬間接触スイッチを前記ハウジング内に設置する工程と、を含む、方法。
【発明の詳細な説明】
【背景技術】
【０００１】
本明細書の例示的な実施形態は、車両に搭載された表示システムなど、表示システムの表示画面上で画像を制御する多位置スイッチに関する。
【０００２】
一部の車両表示システムは、単にタッチスクリーンを採用しているが、しかしながら、タッチスクリーンとの相互作用の為に、ドライバは、あまりにも長く道路から目を離し兼ねない。安全を向上させるために、ディスプレイには、表示画面上のカーソルを移動させて、表示画面上に表示された複数の処理項目又はメニューの間で選択を行うように構成された操作部材又は多位置スイッチが設けられ得る。一部のそのような操作部材は、軸方向に変位可能であり、かつ、軸方向の周りに回転可能である。選択が、操作部材による入力動作により表示画面上の様々な処理項目の間で行われる。この既知の操作部材で、摺動可能な動作及び回転可能な動作が、単品の部材を介して行われる。残念ながら、これにより、結果的に不注意による入力が発生し兼ねない。例えば、摺動又は回転動作の一方がオペレータにより意図されている場合、意図された動作が、それぞれ、操作部材の回転又は摺動の他方など、更なる想定外の動作を引き起こし兼ねない。これは、動作性の視点から不利な問題を引き起こす。操作部材又は多位置スイッチをディスプレイ上で採用すると視線を落す時間を減少させて安全を増大させることができるが、現行のデザインは、複雑すぎかつ高価である。
【発明の概要】
【課題を解決するための手段】
【０００３】
一態様により、車両表示画面を制御する多位置スイッチアセンブリは、ハウジングと、ハウジングに対する回転運動及び枢動のために構成された第１のホルダーと、第１のホルダー内で少なくとも部分的に受け入れられる第２のホルダーとを含む。第２のホルダーは、ハウジングに対して回転固定され、かつ、第１のホルダーと共に枢動可能である。第２のホルダーは、第１のホルダーを少なくとも部分的に支持するが、第１のホルダーに直接には接続されない。押しボタンは、第２のホルダーを通って延在し、かつ、第２のホルダーにより支持される。押しボタンは、ハウジングに対する回転に備えて固定され、かつ、第２のホルダーに対して線形に移動可能である。検出器は、第１のホルダーの回転を検出するように適合される。第１の入力デバイスは、第２のホルダーの枢動により作動する。第１のホルダーは、第１のホルダーの回転運動及び枢動が第１の入力デバイスに接触しないように第１の入力デバイスから離間される。第２の入力デバイスは、押しボタンの直線運動により作動する。
【０００４】
車両表示画面を制御する多位置スイッチアセンブリは、ハウジングと、ハウジング内に位置決めされ、かつ、ハウジングに対して回転及び枢動するように構成された第１のノブホルダーと、ハウジング内に位置決めされ、かつ、第１のノブホルダー内で少なくとも部分的に受け入れられる第２のホルダーとを含む。枢動位置では、第１のノブホルダーは、枢動位置にある間に第１のノブホルダーの回転を防止するためにハウジングと係合するように構成される。第２のホルダーは、第１のホルダーの回転に対して固定され、かつ、第１のホルダーと共に枢動可能である。第２のホルダーは、第１のホルダーをハウジング内で少なくとも部分的に支持する。押しボタンは、第１のホルダー及び第２のホルダーを通って延在する。押しボタンは、第２のホルダーにより支持される。押しボタンは、ハウジングに対する回転に備えて固定され、かつ、第２のホルダーに対して線形に移動可能である。検出器は、第１のホルダーの回転を検出するように適合される。複数の第１の瞬間接触スイッチは、ハウジング内に位置決めされ、それぞれの第１の瞬間接触スイッチは、第２のホルダーの枢動により作動する。第２の瞬間接触スイッチは、ハウジング内に位置決めされ、かつ、押しボタンの直線運動により作動する。
【０００５】
更に別の態様により、車両表示画面を制御する多位置スイッチアセンブリは、複数の第１の係合部材を有する壁部を含むハウジングを含む。第１のノブホルダーは、ハウジング内に位置決めされ、かつ、ハウジングに対して回転及び枢動するように構成される。第１のノブホルダーは、複数の第２の係合部材を有する。枢動位置では、第１の係合部材は、枢動位置においてある間にノブホルダーの回転を防止するために第２の係合部材と係合する。第２のホルダーは、ハウジング内に位置決めされ、かつ、第１のホルダー内で少なくとも部分的に受け入れられる。第２のホルダーは、第１のホルダーの回転に対して固定され、かつ、第１のホルダーと共に枢動可能である。第２のホルダーは、第１のホルダーをハウジング内で少なくとも部分的に支持するが、第１のホルダーに直接には接続されない。接合部材は、ハウジング及び第２のホルダーの両方に作動可能に接続される。接合部材の接続により、第１及び第２のホルダーの枢動を可能にする別個の枢動式の軸線が画定される。押しボタンは、第１のホルダー及び第２のホルダーを通って延在する。押しボタンは、ハウジングに対する回転に備えて固定され、かつ、第２のホルダーに対して線形に移動可能である。検出器は、第１のホルダーの回転を検出するように適合される。複数の第１の瞬間接触スイッチは、ハウジング内に位置決めされ、それぞれの第１の瞬間接触スイッチは、第２のホルダーの枢動により作動する。第１のホルダーは、第１のホルダーがハウジング内で回転するときに第１の瞬間接触スイッチから離間される。第２の瞬間接触スイッチは、ハウジング内に位置決めされ、かつ、押しボタンの直線運動により作動する。
【０００６】
尚も更なる別の態様により、車両表示画面を制御する多機能スイッチアセンブリの組立方法を提供する。この方法は、複数の第１の係合部材を含むハウジングを提供することと、第１のホルダーがハウジングに対して回転及び枢動するようにハウジング内の第１のノブホルダーを位置決めすることであって、第１のノブホルダーは、複数の第２の係合部材を有することと、第１のホルダーの枢動位置では、係合部材が、枢動位置にある間に第１のホルダーの回転を防止するために互いと係合するように係合部材を整合させることと、第２のホルダーが第１のホルダーと共に枢動可能であり、かつ、第１のホルダーの回転に対して固定されるように第２のホルダーをハウジング内に、及び、少なくとも部分的に第１のホルダー内に位置決めすることと、第１のホルダーを第２のホルダーと共にハウジング内で支持することと、第１及び第２のホルダーの枢動を可能にする少なくとも２つの枢動式の軸線を画定するために接合部材をハウジング及び第２のホルダーに接続することと、押しボタンがハウジングに対する回転に備えて固定され、かつ、第２のホルダーに対して線形に移動可能であるように、押しボタンを第１のホルダー及び第２のホルダーを介して位置決めすることと、第１のホルダーの回転を検出するために検出器をハウジング内に設置することと、それぞれの第１の瞬間接触スイッチが第２のホルダーの枢動により作動するように複数の第１の瞬間接触スイッチをハウジング内に設置することと、第２の瞬間接触スイッチが押しボタンの直線運動により作動するように第２の瞬間接触スイッチをハ
【図面の簡単な説明】
【０００７】
【図１】本開示により車両表示画面を制御する多位置スイッチアセンブリの斜視図である。
【図２】図１の多位置スイッチアセンブリの分解斜視図である。
【図３】図２の多位置スイッチアセンブリの握持部材、リング部材、第１のホルダー、及びホイールの分解斜視図である。
【図４】図２の多位置スイッチアセンブリの握持部材、リング部材、第１のホルダー、第２のホルダー、及び第１のピンの分解斜視図である。
【図５】図２の多位置スイッチアセンブリの押しボタン及び検出器を含む図３及び図４の構成部品の組立斜視図である。
【図６】図２の多位置スイッチアセンブリの押しボタン、第２のホルダー、第２のピン、及び導光体の分解斜視図である。
【図７】図６の構成部品の組立斜視図である。
【図８】それぞれ、非作動位置及び作動位置の押しボタン及び第２のピンの拡大横断面図である。
【図９】それぞれ、非作動位置及び作動位置の押しボタン及び第２のピンの拡大横断面図である。
【図１０】図２の多位置スイッチアセンブリの第２のホルダー、接合部材、及び下部ハウジング部分の分解斜視図である。
【図１１】図１０に示す構成部品の部分的切り欠きの組立斜視図である。
【図１２】図１の多位置スイッチアセンブリの部分的切り欠きの斜視図である。
【図１３】図１の多位置スイッチアセンブリの部分的切り欠きの斜視図である。
【図１４】傾動又は枢動状態の図１の多位置スイッチアセンブリの部分的切り欠きの斜視図である。
【図１５】傾動又は枢動状態の図１の多位置スイッチアセンブリの部分的切り欠きの斜視図である。
【図１６】第１のホルダー及び下部ハウジング部分の別の態様を示す、図１の多位置スイッチアセンブリの部分的切り欠きの斜視図である。
【図１７】図１６の第１のホルダーの下面斜視図である。
【図１８】図１６の下部ハウジング部分の斜視図である。
【図１９】第１のホルダー及び下部ハウジング部分の更に別の態様を示す、図１の多位置スイッチアセンブリの部分的切り欠きの斜視図である。
【発明を実施するための形態】
【０００８】
当然ながら、本明細書における説明及び図面は、単に例証的であり、様々な修正及び改変が、本開示から逸脱することなく開示される構造物においてなされ得ることを理解されたい。本明細書で開示する車両表示画面で画像を制御する例示的な多位置スイッチアセンブリの様々の特定した構成部品は、単に、メーカ間で変わり得る当技術分野の用語であるので本開示を限定するとみなすべきではないことも認識されよう。方向及び位置の全ての言及は、特に指示がない限り、図面に例示する例示的な多位置スイッチアセンブリの配向を指し、本明細書に添付する特許請求項の範囲を限定すると解釈されるべきではない。同様の数字は、いくつかの図を通して同様の部品を指す。
【０００９】
図面をここで参照すると、図示が本開示の１つ以上の実施形態を示すためのものであり、図１及び２は、車両に搭載された表示画面（図示略）を制御するための例示的な多位置スイッチアセンブリ１００を示す。以下で更に詳細に説明するように、多位置スイッチアセンブリ１００は、全体的に、ハウジング１０２と、ハウジング内に位置決めされた第１のノブホルダー１１０及び第２のホルダー１１２と、押しボタン１１４と、を含む（図６）。第１のホルダー１１０は、ハウジング１０２に対する回転運動及び枢動の両方のために構成される。第２のホルダー１１２は、第１のホルダー１１０内で少なくとも部分的に受け入れられ、第１のホルダー１１０の回転に対して固定され、かつ第１のホルダーと共に枢動可能である。押しボタン１１４は、ハウジング１０２に対する回転に対抗して固定され、かつ第２のホルダー１１２に対して線形に移動可能である。検出器１２０は、ハウジング１０２内に設けられ、かつ第１のホルダー１１０の回転を検出するように適合される。第１の入力デバイス１２２は、第２のホルダー１１２の枢動により作動する。第２の入力デバイス１２４は、押しボタン１１４の直線運動により作動する。
【００１０】
図２〜４に示されたように、第１のホルダー１１０は、全体的に円筒形の部品１３０とフランジ１３２とを含む。フランジ１３２は、円筒形部品の下部端部部分１３４から半径方向に延在し、図示された実施形態では、端部部分１３４周りに円周方向に延在する。複数の離間した係合部材又は突出部１４０が、第１のホルダー１１０上に設けられる。図示されたように、突出部１４０は、矩形形状とすることができ、フランジ１３２から下方に延在し、かつフランジ１３２の周辺縁部１４２近傍に位置する。開口部１４４が、隣接した突出部１４０間に設けられる。複数のインジケータ又は隆起１５０が、フランジ１３２上の突出部１４０から内方に離間される（図１７に最も良好に図示されている）。図１３及び１５に示されたように、インジケータ１５０は、第１のホルダー１１０が回転するときに第２のホルダー１１２上に設けられた少なくとも１つの第１のピン１５２により係合され、その結果、第１のホルダー１１０の回転の、スイッチアセンブリ１００のオペレータへの触覚型のフィードバックが与えられる。図示された実施形態では、第２のホルダー１１２は、一対の離間した第１のピン１５２を含む。それぞれの第１のピン１５２は、例示されたばね１５４などの付勢部材を介して、第１のホルダーのフランジ１３２に向かって（上方へ）付勢される。それぞれのピン１５２の頂面１５６は、インジケータ１５０の形状と類似の形状とすることができ、その結果、ピン１５２は、第１のホルダー１１０がハウジング１０２及び第２のホルダー１１２に対して回転するときに円滑にインジケータ１５０に載ることができる。
【００１１】
環状握持部材１６０が、第１のホルダー１１０の全体的に円筒形の部品１３０に取り付けられる。握持部材は、円筒形部品１３０を実質的に取り囲み、かつオペレータがスイッチアセンブリを取り扱い易いように、複数の離間した隆起部分１６４を備えた外壁１６２を含む。握持部材は、軸方向に握持部材を通って延在し、かつ押しボタン１１４の一部を受け入れる開口部１６６を含む（図１３〜１５）。第１のホルダー１１０に握持部材１６０を装着するために、円筒形部品１３０は、軸方向に延在する離間した細長リブ１７０と、それぞれのリブ１７０から円周方向に離間した円筒形部品１３０の端部部分上に位置する離間した装着部材又はタブ１７２とを含む。リブ１７０は、握持部材１６０の内壁１８２内に設けられた対応する細長溝１８０において摺動しながら受け入れられる。タブ１７２が、壁部１８２内に位置する対応する開口部１８６に受け入れられる。第１のホルダー１１０に固定されると、握持部材は、ハウジング１０２内の第１のホルダー１１０内で回転及び枢動することができる。
【００１２】
先に示したように、第２のホルダー１１２は回転に対して固定され、かつ第１のホルダー１１０と共に枢動可能である。この構成では、ならびに、図４及び５に示されたように、第２のホルダー１１２は、第１のホルダー１１０を少なくとも部分的に支持するが、第１のホルダーに直接には接続されない。特に、第２のホルダー１１２は、全体的に円筒形の部品２００と、フランジ２０２とを含む。円筒形部品２００は、円筒形部品１３０内に少なくとも部分的に位置決めされたとき、円筒形部品２００の外面２０４が円筒形部品１３０の内面２０６から離間されるように第１のホルダー１１０の円筒形部品１３０よりも小さくて寸法決定される。環状の棚２１０が、円筒形部品２００の下部端部部分２１４から半径方向に外方に延在する。棚２１０は、第１のホルダー１１０内に位置決めされると、円筒形部品１３０の端部部分１３４から半径方向に内方に延在する押縁２１６に接触する（図１４）。第１のホルダー１１０と同様に、フランジ２０２は、円筒形部品２００の端部部分２１４から半径方向に延在し、図示する実施形態では、端部部分２１４周りに円周方向に延在する。後述するように、第２のホルダー１１２の枢動により、フランジ２０２は、第１の入力デバイス１２２を作動させる。
【００１３】
図３及び図４を参照すると、リング部材２２０が、円筒形部品１３０の内面２０６と円筒形部品２００の外面２０４との間に位置決めされる。第２のホルダー１１２が、リング部材２２０内に少なくとも部分的に受け入れられて該リング部材に係合される。特に、リング部材２２０は、円筒形の側壁２２２と、環状の頂壁部２２４と、を含む。リング部材を第２のホルダー１１２に装着するために、リング部材２２０は、側壁２２２の下端２３０が円筒形部品１３０の押縁２３２（図７）上に載るように第１のホルダー１１０内に位置決めされる。これにより、頂壁部２２４が、第１のホルダー１１０の上縁部より上方に位置決めされる。その後、第２のホルダー１１２の円筒形部品２００が、リング部材２２０内に位置決めされる（図１３〜１５）。特に、及び、図４を再び参照すると、円筒形部品２００は、離間した細長リブ２４０と、離間した装着部材又はタブ２４２とを含む。リブ２４０は、側壁２２２の内面２４６内に設けられた対応する細長溝又は経路２４４内で摺動しながら受け入れられる。タブ２４２は、側壁２２２内に位置する対応する開口部２５０で受け入れられる。リング部材２２０は、第２のホルダー１１２に係合されると、回転に対して固定され、かつ、第２のホルダー１１２と共に枢動可能である。
【００１４】
先に示したように、第２のホルダー１１２は、触覚型のフィードバックをオペレータに与え、第１のホルダーの回転中に第１のホルダー上に設置されるインジケータ１５０に接触する第１のホルダー１１０のフランジ１３２に向かって付勢される対第１のピン１５２を含む。第１のピン１５２及び対応するばね１５４を第２のホルダー１１２に固定するために、フランジ２０２は、フランジの底面２６２に従属する１対の全体的に中空の突起２６０を含む。図４、１０、１３及び１５に示されたように、各突起２６０は、上部２７０と下部２７２とを含む。それぞれの突起２６０の上部２７０は、少なくとも１つの溝２７４（図１０）を含み、各ピン１５２は、少なくとも１つの溝２７４内で摺動しながら受け入れられるように構成された少なくとも１つのリブ２７６を含む。これは、ピンを突起内に維持しながら突起１６０内でのピン１５２の変位を可能にする。図示されたように、それぞれの上部１７０は対離間した溝２７４を含み、それぞれのピンは、１対の離間したリブ２７６を含む。それぞれの突起２６０の下部２７２は、ばね１５４の１つを受け入れる。ばね１５４をピン１５２に固定するために、それぞれのピンは、底面上の切り抜き部２８０を含み、切り抜き部２８０は、ばね１５４の端部部分をしっかりと受け入れるように寸法決定される。
【００１５】
図６及び図７を参照すると、押しボタン１１４は、第１のホルダー１１０及び第２のホルダー１１２を通って延在し、かつ第２のホルダー１１２により支持される。押しボタン１１４は、第１のホルダー１１０の回転に対して固定され、かつ、第２の入力デバイス１２２を選択的に作動させるために第２のホルダー１１２に対して線形に移動可能である。押しボタン１１４は、全体的に、エンターノブ又はボタン２９０と、ノブ又はボタンホルダー２９２と、摺動部２９４と、を含む。エンターボタン２９０は、全体的に円弧状の頂壁部３００と、円筒形の側壁３０２とを含む。側壁は、開口部３１０と、全体的にウィッシュボーン形状を有するスロット３１２とを含むが、これは、必要条件ではない。半径方向に延在するフランジ３１４が、頂壁部３００近傍の側壁３０２上に設けられる。押しボタン１１４の直線運動を制限するために、リブ３１６（図６）が、ボタンホルダー２９２の下部上に設けられる。押しボタン１１４の押し下げにより、リブ３１６が、下部ハウジング部分５１４（図１０及び１３）内に設けられたステム部５１２の頂面３１８に当接する。
【００１６】
押下げ可能なホルダー２９２は、外面３２２と内面３２４とを有する全体的に円錐形の側壁３２０を含む。内面は、押下げ可能なホルダー２９２を介して軸方向に延在する内径部３２６を画定する。スロット３１２の形状に対応する形状を有するタブ３３０及び軸方向に整合させられたリブ３３２が、側壁３２０上に設けられる。押下げ可能なホルダー２９２は、少なくとも１つの第１の強化部材３４０と、少なくとも１つの第２の強化部材３４２と、を更に含む。第１の強化部材３４０は、外面３２２周りに実質的に円周方向に延在する。第２の強化部材３４２は外面３２２上にも位置し、かつボタンホルダー２９２の縦（軸方向）方向に沿って延在する。エンターボタン２９０をボタンホルダー２９２に接続するために、ボタン２９０は、リブ３３２がスロット３１２内に受け入れられ、タブ３３０が開口部３１０内に受け入れられるように、ボタンホルダー上で摺動される。組立てると、ボタンホルダー２９２及びエンターボタン２９０の側壁３０２の下部は、第２のホルダー１１２内に摺動しながら位置決めされる。これにより、ボタンホルダー２９２を回転に対して固定することができ、かつ、第２のホルダー１１２と共に枢動可能とすることができる。第２のホルダー１１２は、ボタンホルダーの一部（例えば、第２の強化部材３４２の１つ）を摺動しながら受け入れ、その結果、ボタンホルダーが第２のホルダー１１２内で線形に移動可能であることを可能にする係合部材を含むことができる。
【００１７】
摺動部２９４は、第２のホルダー１１２及びボタンホルダー２９２の下に位置し、かつ第２の入力デバイス１２４を作動させるためにボタンホルダー２９２の直線運動により作動可能に係合される（図２）。摺動部２９４は、全体的に管形状であり、かつ、側壁３５０を含む。離間したリブ３５２が、側壁３５０上で位置する（２つのみを図６に図示）。タブ３５４は、リブ３５２のうちの２つの全体的に下に位置決めされる。足部３５６は摺動部２９４の下端３５８近傍に設けられ、かつ一対のタブ３５４間に位置決めされる。開口部３６０は、円周方向に離間され、かつ足部３５６に直径に沿って対向する。以下で論じるように、押しボタンの押し下げにより、足部３５６が移動して第２の入力デバイス１２４と接触する（図２）。
【００１８】
押しボタン１１４を点灯するために、導光体又はレンズ３７０を摺動部２９４内に取り付けることができる。図示された実施形態では、導光体３７０は、下部上に位置するタブ３７２及び一対の指状部３７４を含む。導光体３７０を摺動部２９４に取り付けるために、導光体は、摺動部３７２内で摺動され、タブ３７２が、開口部３６０内に位置決めされている。図１３〜１５に示されたように、光源は、ＬＥＤ３８０などプリント回路基板３８２上に設けることができ、該プリント回路基板は、第１及び第２の入力デバイス１２２，１２４を有するゴム接点３８４を含む。ＬＥＤ３８０は、第２の入力デバイス１２４近傍に位置することができる。導光体は、ＬＥＤ３８０から生成された光をボタンホルダー２９２に案内する。ボタンホルダー２９２の内面３２４は、光をエンターボタン２９０に更に反映する滑らかな白色表面とすることができ、該光の一部は、照明用に適合される。押しボタンを照明する代替の方法が企図されていることを認識するべきである。
【００１９】
図３及び５を再び参照すると、ホイール４００が、第１のホルダー１１０に接続される。ホイール４００は、第１のホルダー１１０と共に回転可能であり、かつ第１のホルダーの枢動に対して固定される。ホイール４００は、ホイールが第１のホルダーで回転したときに検出器１２０と係合するように構成される。具体的には、及び、一態様により、ホイール４００は、外面４０４と内面４０６とを有する側壁４０２を含む。第１のフランジ４１０が、外面４０４から半径方向に外方に延在し、かつ側壁４０２上で全体的に中央に位置決めされる。第２のフランジ４１２が、内面４０６から内方に半径方向に延在し、かつ側壁４０２の下端部分近傍に位置決めされる。複数の離間した歯４２０が、ホイールの外面４０４周りに円周方向に、かつ第１のフランジ４１０の下に位置する。ホイール４００は、ホイールを第１のホルダー１１０に接続する１対の係合部材４２２を更に含む。係合部材４２２は、第１のフランジ４１０から軸方向に上方に延在し、かつ離間した指状部４２４を含み、かつホイール４００を第１のホルダー１１０が枢動するときに固定することを可能にするように適合される。特に、及び、図１４に示されたように、それぞれの指状部４２４の長さ及び指状部の間の間隔は、フランジ１３２が、第１のホルダー１１０が枢動されるときに指状部の間で移動しかつ第１のホルダー１１０が回転するときにフランジ１３２により係合されることを可能にする。ホイール４００を第１のホルダー１１０に接続するために、係合部材４２２の指状部４２４は、第１のホルダー１１０のフランジ１３２に設けられた開口部４３０内に位置決めされる。
【００２０】
先に示したように、検出器１２０は、第１のホルダー１１０の回転角度又は位置を検出する。検出器１２０は、第１のホルダー１１０の回転位置を、車両制御ユニット（図示略）に伝達することができる信号に変換するために使用される電気機械装置とすることができる。１つの例示的な態様により、検出器は、磁石４４０と、磁石の回転を検出する少なくとも１つのホール効果センサー４４２（図１２）と、を含む。磁石４４０は、本体４５０の下部に取り付けられる。本体４５０の上部は、ホイール歯４２０に対応し、かつホイール４００が第１のホルダー１１０とともに回転するときに該ホイール歯により係合される歯４５２を含む。したがって、ホイール４００の回転は、検出器１２０を回転させる。検出器１２０は、ハウジング１０２の一部及び回路基板３８２の１つの上にある磁石ホルダー４６０内に取り付けられる。
【００２１】
図６及び７を再び参照すると、スイッチアセンブリ１００は、非作動位置に押しボタン背面を付勢する押しボタン１１４に動作上関連した少なくとも１つの第２のピン４７０を更に含む。特に、一対の対向した第２のピン４７０は、ハウジング１０２に設けられる軌道４７２内に取り付けられる（図１１）。それぞれの第２のピン４７０は、少なくとも部分的に本体を介して縦に延在する細長開口部４８０を有する本体４７６を含む。それぞれの第２のピン４７０を摺動部２９６に向かって付勢するばね４８２が、それぞれの開口部４８０に設けられる。長手方向のリブ４８４及び一対の離間したタブ４８６が、それぞれの本体４７６上に位置し、突出部４９０が、組立てた状態で摺動部２９６に対向するそれぞれの本体４７６の壁部４９２上に位置する。リブ４８４は、ハウジング１０２の第１の壁部５００上に位置する経路４９４内で摺動しながら受け入れられる。タブ４８６は、第１の壁部５００の下に位置決めされ、かつ軌道４７２を少なくとも部分的に画定するハウジング１０２の第２の壁部５０６に当接する。動作時、及び、図８及び図９に示したように、押しボタン１１４の押し下げにより、摺動部２９６が線形に移動して、第２の入力デバイス１２４と接触する。摺動部が下方へ移動するとき、摺動部２９６のタブ３５４が、第２のピン４７０の突出部４９０と係合する。これにより、第２のピン４７０が移動して摺動部２９６から離れて、その結果、ばね４８２が圧縮され、第２のピンの移動も、触覚型のフィードバックをオペレータに与える。押しボタン１１４に印加された下向きの力が除去されると、ばね４８２は、第２のピン４７０を移動させ初期位置の方に戻し、突出部４９０が、摺動部２９６のタブ３５４と係合して、押しボタン１１４を初期位置に押し戻す。押しボタン１１４への下向きの力が除去されたとき、押しボタンは、第２の入力デバイス１２４の付勢機構部、つまりばね（図示略）の弾性力により初期位置に自動的に戻ることができることを認識するべきである。
【００２２】
図１０及び１１は、第１のホルダー１１０の回転に対して固定され、かつ第２のホルダー１１２と共に枢動可能である、第２のホルダー１１２をハウジング１０２に接続する接合部材５１０を示す。例示された実施形態では、接合部材５１０は、ハウジング１０２の下部５１４内に設けられたステム部５１２及び第２のホルダー１１２に取り付けられる。接合部材５１０は、全体的に円筒形とすることができ、かつ内面５２２と外面５２４とを備えた側壁５２０と、接合部材を通って軸方向に延在する開口部５２６と、を含む。一対の対向した開口部５３０が、側壁５２０を通って延在し、軸方向に延在する一対の略Ｕ字形のフランジ５３２が、側壁５２０上に位置する。フランジ５３２のそれぞれは、外面５２４から外方に突出し、かつ軸方向に延在し、かつ開口部５２６に開いた経路５３６を画定する。フランジ５３２のそれぞれは、突出部材５３８も含む。ステム部５１２は、一対の外方に突出する部材５４０と、一対のリブ５４４と、を含む。
【００２３】
接合部材５１０をステム部５１２上に取り付けるために、リブ５４４は、接合部材５１０ステム部５１２上で摺動することを可能にする経路５３６内に位置決めされる。開口部５３０は、外方に突出する部材５４０を受け入れるように寸法決定される。接合部材５１０は、ステム部５１２に接続されると、部材５４０により画定された軸線周りに枢動することができる。その後、接合部材５１０は、第２のホルダー１１２に接続される。特に、フランジ５３２は第２のホルダー内に位置決めされ、それぞれのフランジ５３２の上部は、棚２１０近傍で第２のホルダー１１２の内面２４６上に位置する内方に延在する押縁５５０と係合する。第２のホルダー内の接合部材５１０の適切な配向を確保するために、別個の隆起部５５２が、側壁５２０の外面５２４上に設けられる。隆起部５５２は、内面２４６上に位置する対応する溝５５４内で受け入れられる。フランジ５３２上に設けられた一対の対向した外方に突出する部材５３８は、第２のホルダー１１２内に位置決めされると、第２のホルダー１１２に位置する切り抜き部５５６と係合する。その後、接合部材５１０は、部材５３８により画定された軸線周りに枢動することができる。したがって、ハウジング１０２及び第２のホルダー１１２との接合部材５１０の接続により、第１のホルダー１１０及び第２のホルダー１１２の枢動を可能にする少なくとも２つの別個の、枢動軸線が画定される。これらの軸線は、互いに直交し得る。
【００２４】
先に示したように、摺動部２９４は第２のホルダー１１２の下に位置し、かつ離間したリブ３５２を有する側壁３５０を含む。図１３〜１５図に示したように、摺動部２９４は、ステム部５１２内で摺動しながら受け入れられる。この目的のために、ステム部５１２は、リブ３５２を受け入れるように寸法決定された対応する経路５６０（図１０）を含む。摺動部をハウジング１０２のステム部５１２に接続するために、摺動部は、下部ハウジング部分５１４の下からステム部に挿入される。回路基板３８２は、摺動部がステム部から落ちることを防止する。下部ハウジング部分５１４内の回路基板３８２及びゴム接触部３８４の設置の前に、少なくとも１つの第３のピン５７０が、第２のホルダー１１２と第１の入力デバイス１２２との間に作動上位置決めされる。第３のピン５７０は、円筒形であり、かつ第３のピンの下部５７４上に位置する基部５７２を含む。基部５７２は、第３のピン５７０の変位を制限し、更には、第１の入力デバイス１２２を作動させる大きい接触面を提供する。第３のピン５７０は、下部ハウジング部分５１４内に設けられた突起５８０内に取り付けられる。以下で説明するように、第２のホルダー１１２の枢動は、第３のピン５７０を係合し、第３のピン５７０は、次に、第１の入力デバイス１２２を作動させる。
【００２５】
第１及び第２の入力デバイス１２２，１２４は、プリント回路基板３８２及びゴム接触部３８４の１つの上に配置することができる。図示されたように、第１及び第２の入力デバイス１２２，１２４は、ゴム接触部３８４の上に提供される。第１及び第２の入力デバイスのそれぞれは、瞬間接触スイッチとすることができるが、これは、必要条件ではない。図示された例示的な実施形態では、及び、図２に最も良好に例示されたように、８つの第１の入力デバイス１２２は、ゴム接触部３８４の上で円周方向に離間される。第２の入力デバイス１２４は、複数の第１の入力デバイス１２２により取り囲まれ、かつ第１のホルダー１１０の回転軸の近傍に位置決めされる。この構成では、複数の突起５８０内に位置する複数の第３のピン５７０が、それぞれの第１の入力デバイス１２２に１本の第３のピン５７０が設けられる（図１１）。したがって、第２のホルダー１１２の枢動又は傾動により、表示画面に関連した複数の種類の機能を制御するために第１の入力デバイス１２２の１つが作動する。例えば、第１の入力デバイス１２２の作動により、表示画面のスクリーン上のカーソルの左右／上下／斜めの移動を作動させることができる。その後、押しボタン１１４は、表示画面上に表示された機能／選択肢を選択する選択又は入力スイッチとして使用される。第２のホルダー１１２への枢動力が除去されたとき、第２のホルダーは、第１の入力デバイス１２２の付勢機構部、つまりばね（図示略）の弾性力により元の位置に自動的に戻ることができることを認識するべきである。
【００２６】
先に示したように、第１のホルダー１１０は、複数の離間した突出部１４０を有するフランジ１３２を含む。図１４及び１５を参照すると、ハウジング１０２は第１のホルダー１１０と係合するように構成されており、第２のホルダー１１２が第１のホルダー１１０とともに枢動されて、第１の入力デバイス１２２を作動させたときに、第１のホルダーの回転を防止している。枢動位置での第１のホルダー１１０の回転を防止するために、ハウジング１０２は、複数の離間した係合部材、つまり突出部５９０を含む。図示されたように、突出部５９０は、突出部１４０に数及び形状において対応することができるが、これは、必要条件ではない。図示されたように、及び突出部１４０と同様に、突出部５９０は矩形である。図示された実施形態では、突出部５９０は、下部ハウジング部分５１４の第１の壁部５００から略垂直に延在する壁部５９２の上面上に位置する。壁部５９２は、フランジ１３２の形状に対応する形状を有することができ、例示する実施形態では、円形であるが、これは必要条件ではない。
【００２７】
動作時には、及び図１４及び１５に示されたように、例えば表示画面の画面上のカーソルを移動させるための握持部材１６０の枢動は、第１のホルダー１１０を枢動させる。先に示したように、第２のホルダー１１２は、第１の入力デバイス１２２を作動させるために第１のホルダーと共に枢動する。枢動位置では、第１のホルダー１１０の突出部１４０は、ハウジング１０２の突出部５９０と係合する。突出部１４０，５９０のこの噛み合わせは、第２のホルダー１１２が第１の入力デバイス１２２を作動させるときに第１のホルダー１１０の同時回転を防止する。これは、次に、スイッチアセンブリ１００の誤操作を防止することができる。例えば、表示画面が車両ナビゲーションシステムである場合、第１のホルダー１１０の回転は表示されたマップを拡大又は縮小することができる。第２のホルダー１１２は、マップを移動させたい方向に向かって枢動させることができる。第１のホルダー１１０は突出部１４０，５９０の係合を介した回転に対して固定されるので、ホイール４００及び検出器１２０は、回転に対しても固定される。したがって、第１のホルダー１１０の回転に関連した表示画面の機能（即ち、表示されたマップのサイズの変更）は、オペレータが第２のホルダー１１２の枢動に関連した機能（即ち、表示されたマップの移動）を作動させているときに防止される。
【００２８】
先に示したように、及び一態様により、突出部１４０，５９０は、矩形である。突出部１４０，５９０のこの構成では、第１のホルダー１１０の回転は完全に防止されるが、オペレータが枢動位置にて第１のホルダー１１０を回転させようとしたとき、何らかのノブホルダーの反動があり得る。しかしながら、突出部１４０，５９０の代案形状が企図されていることを認識するべきである。例えば、及び図１６〜１９に示されたように、突出部１４０，５９０は、台形及び三角形の１つとすることができる。突出部のこの構成は、第１のホルダーの枢動位置において、第１のホルダー１１０の突出部１４０と下部ハウジング部分５１４の突出部５９０との間でわずかな回転を可能にする。これにより、オペレータが枢動位置においてノブホルダー１１０を回転させようとしたときにノブホルダーの反動が低減される。しかしながら、台形又は三角形の突出部１４０，５９０は、枢動位置において、ホイール４００及び検出器１２０の回転も引き起こすと思われる第１のホルダー１１０の回転を防止する。図１６〜１９に示す突出部１４０，５９０の代替構成では、第１のホルダー１１０は、所定の回転力を超えた後に回転することができ、これにより、スイッチアセンブリ１００の損傷が防止されることになることを認識するべきである。
【００２９】
本開示の一態様による多位置スイッチアセンブリ１００の組み立てをここで説明する。スイッチアセンブリ１００を組み立てるために、ばね４８２を第２のピン４７０の開口部４８０に入れ、第２のピン４７０を下部ハウジング部分５１４へ摺動させる。導光体３７０は、スライダ２９４に嵌入される。摺動部２９４が、ステム部５１２内に（下部ハウジング部分５１４の底部から）位置決めされ、第３のピン５７０が、突起５８０内に位置決めされる。磁石４４０の本体４５０が、下部ハウジング部分５１４内に位置する。その後、磁石ホルダー４６０を、本体４５０を固定する下部ハウジング部分５１４に接続する。第１の入力デバイス１２２が第３のピン５７０と整合され、第２の入力デバイス１２４が摺動部２９４の足部３５６と整合されるように、ゴム接触部３８４及び回路基板３８２を、摺動部２９４及び第３のピン５７０の下の下部ハウジング部分５１４に入れる。その後、回路基板３８２及びゴム接触３８４を、ハウジング底部６００を介して下部ハウジング５１４に固定する。ハウジング底部６００を下部５１４に、ハウジング底部６００内に設けられた突起６０４を通って延在するように、かつ下部５１４内に設けられた第２の突起６１０と係合する締結具６０２を介して接続する（図１３及び１５）。
【００３０】
その後、接合部材５１０をステム部５１２に接続し、第２のホルダー１１２を接合部材に接続する。その後、押しボタン１１４を先述したように組み立てて、第２のホルダー１１２内に位置決めし、リング部材２２０を第２のホルダー１１２に接続する。特に、ボタンホルダー２９２を第２のホルダー１１２の下部部分を介して組み立てて、第２のホルダー１１２を接合部材５１０に接続する。ばね１５４を切り抜き部２８０の内側に取り付けて、第１のピン１５２をばね１５４の上に位置決めする。歯４２０が検出器１２０の歯４５２と係合するように、ホイール４００を下部ハウジング部分５１４内に位置決めする。その後、第１のホルダー１１０をホイール４００に接続する。リング部材２２０を第２のホルダー１１２に組み立てると、これにより、第１のホルダー１１０が分解されるのが防止される。表示画面のための機能ボタン６１０を下部ハウジング部分５１４に位置する第３のボス６１２に摺動しながら接続する。それぞれの機能ボタン６１０の押し下げは、回路基板３８２上に設置された第３の入力デバイス６２０を作動させる。エンターボタン２９０をボタンホルダー２９２に接続する。その後、上部ハウジング部分６３０を下部ハウジング部分５１４に接続する。上部ハウジング部分６３０は、第１のホルダー１１０が少なくとも部分的に突出する中央開口部６３２と、ボタン６１０用開口部６３４と、を含む。最後に、握持部材１６０を第１のホルダー１１０に接続する。上記の組み立て方法はあくまで一例としてであり、かつ、スイッチ組み立て１００の代替の組み立て方法が企図されていることを認識するべきである。
【００３１】
上記に鑑みて、車両表示画面を制御する多機能スイッチアセンブリ１００の組立方法を提供する。この方法は、複数の係合部材５９０を含むハウジング１２０を提供することと、第１のホルダーがハウジングに対して回転及び枢動するように第１のノブホルダー１１０をハウジング１０２内に位置決めすることであって、第１のノブホルダー１１０は、複数の第２の係合部材１４０を有することと、第１のホルダー１１０の枢動位置では係合部材１４０、５９０が、枢動位置にある間に第１のホルダー１１０の回転を防止するために互いと係合するように係合部材１４０、５９０を整合させることと、第２のホルダー１１２が第１のホルダー１１０と共に枢動可能であり、かつ第１のホルダーの回転に対して固定されるように第２のホルダー１１２をハウジング１０２内に、及び、少なくとも部分的に第１のホルダー１１０内に位置決めすることと、第１のホルダー１１０を第２のホルダー１１２と共にハウジング１０２内で支持することと、第１及び第２のホルダーの枢動を可能にする少なくとも２つの枢動軸線を画定するために接合部材５１０をハウジング１０２及び第２のホルダー１１２の両方に接続することと、押しボタンがハウジングに対する回転に対抗して固定され、かつ第２のホルダー１１２に対して線形に移動可能であるように、押しボタン１１４を第１のホルダー１１０及び第２のホルダー１１２を介して位置決めすることと、第１のホルダー１１０の回転を検出するために検出器１２０をハウジング１０２内に設置することと、それぞれの第１の瞬間接触スイッチ１２２が第２のホルダーの１１２枢動により作動するように複数の第１の瞬間接触スイッチ１２２をハウジング１０２内に設置することと、第２の瞬間接触スイッチ１２４が押しボタン１１４の直線運動により作動するように第２の瞬間接触スイッチ１２４をハウジング１０２内に設置することと、を含む。
【００３２】
上で開示される様々な特徴及び機能並びに他の特徴及び機能、又はその代替物を、多くの他の異なるシステム又は応用に望ましく組み合わせ得ることが認識されるであろう。また、種々の現在予期されていない、若しくは予想されていない代替案、修正、変形、又は改善が、後に当業者によって行われてもよく、それらも、以下の特許請求の範囲によって包含されるよう意図される。
１００  ・・・多位置スイッチアセンブリ
１０２  ・・・ハウジング
１１０  ・・・第１のノブホルダー
１１２  ・・・第２のホルダー
１１４  ・・・押しボタン
１２０  ・・・検出器
１２２  ・・・第１の入力デバイス
１２４  ・・・第２の入力デバイス
１３０，２００  ・・・円筒形部品
１３２  ・・・フランジ
１４０  ・・・突出部
１５０  ・・・インジケータ
１５２  ・・・第１のピン
１６０  ・・・環状握持部材
１６２  ・・・外壁
１６６  ・・・開口部
１７０，２４０  ・・・リブ
１７２，２４２  ・・・タブ
１８０  ・・・細長溝
１８２  ・・・壁部
１８６  ・・・開口部
２１０  ・・・棚
２６０  ・・・突起
２７０  ・・・溝
２９０  ・・・ボタン
２９２  ・・・ボタンホルダー
３７０  ・・・導光体
３８０  ・・・ＬＥＤ
３８２  ・・・プリント回路基板
３８４  ・・・ゴム接点
４００  ・・・ホイール
４４０  ・・・磁石
４６０  ・・・磁石ホルダー
４７０  ・・・第２のピン
４７６  ・・・本体
４８０  ・・・細長開口部
４８２  ・・・ばね
４８４  ・・・リブ
５１０  ・・・接合部材
５１２  ・・・ステム部
５１４  ・・・下部ハウジング部分
５７０  ・・・第３のピン
５９０  ・・・突出部
【図１】
0005827448.tif 000002
【図２】
0005827448.tif 000003
【図３】
0005827448.tif 000004
【図４】
0005827448.tif 000005
【図５】
0005827448.tif 000006
【図６】
0005827448.tif 000007
【図７】
0005827448.tif 000008
【図８】
0005827448.tif 000009
【図９】
0005827448.tif 000010
【図１０】
0005827448.tif 000011
【図１１】
0005827448.tif 000012
【図１２】
0005827448.tif 000013
【図１３】
0005827448.tif 000014
【図１４】
0005827448.tif 000015
【図１５】
0005827448.tif 000016
【図１６】
0005827448.tif 000017
【図１７】
0005827448.tif 000018
【図１８】
0005827448.tif 000019
【図１９】
0005827448.tif 000020